(57)【要約】      （修正有）【課題】簡単な構造で容易に作成でき、取付けやすく、取付けられる面材を損傷するおそれがなく、取付強度も確保でき、従来の取付構造より器具内部の容積を広くとれる埋込器具の取付構造を提供する。【解決手段】  面材に穴を形成して埋込み固定する器具であって、一方向が開口するケーシングＡを備え、ケーシングはその開口部周縁に鍔部１０を有し、ケーシングの側面に複数のスリット１４ａ，１４ｂを設け、ケーシングに固定したバネ部材１２を配し、バネ部材は、その中間部１２ｃ，１２ｄがスリットから弓なりに膨出可能であり、バネ部材の自由端には自由端がスリットから抜け出ないようにストッパ１３ａ，１３ｂを設け、バネ部材がスリットから膨出してバネ部材自由端のストッパがスリットに当接して固定されたときに、ケーシングの鍔部とバネ部材の膨出部端部１２ｅ，１２ｆとの間に面材が挟み込まれて埋込器具が固定される。【選択図】        図１
2008059815.tif 000002
【特許請求の範囲】
【請求項１】
面材に穴を形成して埋め込み固定する器具であって、一方向が開口するケーシングを備え、該ケーシングはその開口部周縁に鍔部を有し、ケーシングの側面に複数のスリットを設け、ケーシングに固定したバネ部材を配し、該バネ部材は、その中間部が前記スリットから弓なりに膨出可能であり、バネ部材の自由端には該自由端が該スリットから抜け出さないようにストッパを設け、該バネ部材が該スリットから膨出して該バネ部材自由端のストッパがスリットに当接して固定されたときに、前記ケーシングの鍔部とバネ部材の膨出部端部との間に面材が挟み込まれて埋込器具が固定されるようにしたことを特徴とする埋込器具の取付構造。
【請求項２】
バネ部材が、その膨出部端部に内曲する屈曲部を設け、該屈曲部とストッパとが直角に屈曲させたことにより、該屈曲部が面材に対して面接触するように構成したことを特徴とする請求項１に記載の埋込器具の取付構造。
【発明の詳細な説明】
【技術分野】
【０００１】
本発明は、天井、壁面あるいは床面等の面材に埋め込んで使用する照明器具、換気扇、スピーカ等の埋込むことが可能な器具の固定構造に関する。
【背景技術】
【０００２】
従来の埋込器具の固定構造としては、第１の方法として図１８及び図１９に示すようなバネ金具ａによる取付が使用されており、これはバネ金具ａとフランジｂで天井板Ｅを挟み込み、圧接して取付けるものである（下記特許文献１）。また第２の方法として図２０〜図２２に示すようなワンタッチバネによる取付も使用されており、これは板バネｃにより天井側面Ｅ３に圧力をかけ、器具を持ち上げるようにして取り付けるものである。
【特許文献１】実用新案登録第３０３３３２３４号公報
【発明の開示】
【発明が解決しようとする課題】
【０００３】
しかし、上記第１の方法では、バネ金具ａを拡開して天井面を押圧するようにスライドさせなければならないので取付作業に若干の手間を要し、その分だけバネ金具ａの解除が面倒であるため器具の取り外しが困難となり、また、図１９に示すように、バネ金具ａが天井面へ食い込んでしまって天井板Ｅが損傷するおそれがあり、かつ、取付前でもバネ金具ａが器具のケーシングからはみ出ていることにより天井穴径ｐ１はケーシングの外形ｑ１よりも余裕をもって大きくとらざるを得ないため空間利用効率が悪く、また、隙間が生じることにより種々の問題発生の原因となる欠点があった。
【０００４】
上記第２の方法については、天井側面Ｅ３に板バネｃにより圧力をかけて器具を保持するようにしているため取付強度が不足し、天井材の厚みが変化するとその対応が難しく、振動による緩みが生じ、図２１に示すように梱包時の容積が大きくなって嵩張り、本体側面と天井穴側面をバネ板ｃで押し付けて固定する構造であるためバネ板ｃの圧力により本体が変形するおそれがあり、取付前でも板バネｃが器具のケーシングからはみ出ていることにより天井穴径ｐ２はケーシングの外形ｑ２よりも余裕をもって大きくとらざるを得ないため空間利用効率が悪く、また、隙間が生じることにより種々の問題発生の原因となる欠点があった。
【０００５】
そこで、本発明者は、簡単な構造で容易に作成でき、かつ、取り付けやすく、取り付けられる面材を損傷するおそれがなく、取付強度も確保でき、従来の取付構造より器具内部の容積を広くとれる埋込器具の取付構造を開発した。
【課題を解決するための手段】
【０００６】
本発明に係る埋込器具の取付構造は、面材に穴を形成して埋め込み固定する器具であって、一方向が開口するケーシングを備え、該ケーシングはその開口部周縁に鍔部を有し、ケーシングの側面に複数のスリットを設け、ケーシングに固定したバネ部材を配し、該バネ部材は、その中間部が前記スリットから弓なりに膨出可能であり、バネ部材の自由端には該自由端が該スリットから抜け出ないようにストッパを設け、該バネ部材が該スリットから膨出して該バネ部材自由端のストッパがスリットに当接して固定されたときに、前記ケーシングの鍔部とバネ部材の膨出部端部との間に面材が挟み込まれて埋込器具が固定されるようにしたことを特徴とするものである。
【０００７】
また、上記の取付構造におけるバネ部材が、その膨出部端部に内曲する屈曲部を設け、該屈曲部とストッパとが直角に屈曲させたことにより、該屈曲部が面材に対して面接触するように構成したことを特徴としてもよい。
【発明の効果】
【０００８】
上記のように構成することにより、素早く確実な器具取付ができ、施工が容易である。また、重量のある器具でも取付が容易である。さらに部品の作成や組立が容易でコスト面でも有利である。さらにまた器具内部の容積を広くとれることで同じ埋込穴径の器具に比べて、例えば照明器具の場合には反射板開口径を広くとれ、器具効率の向上が図れる利点がある。
【発明を実施するための最良の形態】
【０００９】
以下に、本発明の実施例を、添付の図に基づいて詳細に説明する。なお、実施例は照明器具について説明するが、取付構造の要部については他の埋込器具についても同様であるので、具体的な実施例を挙げての説明は省略する。
【実施例１】
【００１０】
図１〜図１０は実施例１に関するものであり、図１は本実施例における照明器具のケーシングの斜視図であり、図２は照明器具の設計図であり、（ａ）は平面図であり、（ｂ）は側面図であり、（ｃ）は正面図である。図３〜図６は取付状態を示す概略説明図であり、図３は取付前のケーシングの状態を示す概略説明図であり、図４は天井の埋込穴に挿入したケーシングの状態の概略説明図であり、図５はバネ部材によりケーシングを天井材に固定した状態を示す概略説明図であり、図６はケーシング内に反射板を取り付けた状態を示す概略説明図であり、図７はケーシングと天井材との相関関係を示す概略図であり、図８は梱包状態を示す概略図であり、図９は天井材の板厚が大のときの取付状態を示す概略図である。
【００１１】
図１及び図２において、Ａは天井埋込型の照明器具のケーシングであり、下方が開口したお椀型の容体であって、開口周縁には鍔部１０が形成されている。また、ケーシングＡの内側頂部中央には取付ボルト１１が設けられており、該Ｕ字状の板バネ１２が、その頂部穴１２ｚを取付ボルト１１に挿通し、ナット１３を取付ボルト１１に螺合することによりケーシングＡに固定されるようになっている。該ケーシングＡには、その側面に電球取付用のソケットＢが取り付けられ、ケーシングＡより若干径小のお椀型をなす反射板Ｃが、その頂部中央の取着穴を前記取付ボルト１１に挿通してさらに留めナットＣ１を取付ボルト１１に螺合して固定し、電球Ｄを取り付けることにより、本実施例における該照明器具が完成する。
【００１２】
前記Ｕ字状の板バネ１２は、頂部穴１２ｚを境にしてその両側の板バネ１２ａと板バネ１２ｂとからなり、板バネ１２ａと板バネ１２ｂの各自由端には各板バネ１２ａ，１２ｂの長さ方向に直交する板状のストッパ１３ａ，１３ｂが取着されている。
【００１３】
ケーシングＡの側面には、相対向する位置にスリット１４ａ，１４ｂが形成されており、このスリット１４ａ，１４ｂの幅は前記板バネ１２よりやや広幅になっており、各板バネ１２ａ，１２ｂを押し上げると各板バネ１２ａ，１２ｂの中間部１２ｃ，１２ｄが湾曲してスリット１４ａ，１４ｂからケーシングＡの外部へ弓なり膨出できるようになっている。そして、各板バネ１２ａ，１２ｂの中間部１２ｃ，１２ｄが膨出する際、各板バネ１２ａ，１２ｂの自由端に取着したストッパ１３ａ，１３ｂがスリット１４ａ，１４ｂに引っかかって各板バネ１２ａ，１２ｂの自由端がスリット１４ａ，１４ｂから抜け出さないようになっている。この各スリット１４ａ，１４ｂに各板バネ１２ａ，１２ｂのストッパ１３ａ，１３ｂが引っかかったときには、ストッパ１３ａ，１３ｂは各スリット１４ａ，１４ｂにそれぞれ当接して固定される。各板バネ１２ａ，１２ｂは、前記のようにそれぞれ膨出させたときに形成される膨出部端部１２ｅ，１２ｆを内方に屈曲する屈曲部とし、各ストッパ１３ａ，１３ｂは各屈曲部に直角に屈曲するように形成している。そうすると、図２の側面図に示すように、天井材ＥはケーシングＡの鍔部１０と各板バネ１２ａ，１２ｂの膨出部端部１２ｅ，１２ｆにおける屈曲部との間に挟み込まれ、該屈曲部が天井材Ｅに対して面接触する状態でケーシングＡが天井材Ｅに固定されるようになっている。
【００１４】
次に、本実施例に係る照明器具の取付手順と共に板バネ１２によるバネ力の働きについて説明する。
【００１５】
図３に示すように、天井材Ｅに照明器具埋込用の穴を形成し、該埋込用穴にケーシングＡを矢符で示す方向に挿入する。その際、板バネ１２はケーシングＡ内において垂下する状態にあり、ケーシングＡ内からはみ出ない。図４はケーシングＡの挿入が完了した状態であり、この時点においては、ケーシングＡの鍔部１０が天井材Ｅの下面Ｅ１に接触している状態にある。そして、図４において矢符で示す方向に各板バネ１２ａ，１２ｂをその下端である屈曲した膨出部端部１２ｅ，１２ｆを上方に押し上げると、天井材Ｅの下面Ｅ１に接しているケーシングＡの鍔部１０がケーシングＡの上方への移動を阻止するので、図５に示すように各板バネ１２ａ，１２ｂの中間部１２ｃ，１２ｄが外方に湾曲し、スリット１４ａ，１４ｂからケーシングＡ外に膨出する。そして、図５に示す矢符ａの押し上げ力により膨出した状態に変形した板バネ１２は、その復元力が本来、矢符ｂで示すようにケーシングＡの持ち上げ力に変化するが、その持ち上げ力が膨出した各板バネ１２ａ，１２ｂを矢符ｃで示すように外方に膨出しようとする力に変化し、この膨出力により、ストッパ１３ａ，１３ｂは、ケーシングＡ内におけるスリット１４ａ，１４ｂ側方のほぼ直立した壁面に圧接され、各板バネ１２ａ，１２ｂの屈曲部である膨出部端部１２ｅ，１２ｆは、天井材Ｅの上面Ｅ２を面接触的に押圧することになり、ケーシングＡは、その鍔部１０と各板バネ１２ａ，１２ｂの屈曲部である膨出部端部１２ｅ，１２ｆとがバネ力により天井材Ｅを強く挟み込むことにより、天井材Ｅに強固に固定される。そして、図６に示すように反射板Ｃが、その頂部中央の取着穴を取付ボルト１１に挿通し、留めナットＣ１を取付ボルト１１に螺合することにより固定される。このような取付構造の状態においては、板バネ１２を膨出させるまでは板バネ１２がケーシングＡからはみ出ないので、図７に示すようにケーシングＡの外形ｑ３は天井穴径ｐ３とほぼ同一程度まで近接させることができ、同一天井穴径においては、従来の照明器具より、ケーシングの内容量を大きくとれる利点がある。また、同様の理由で、図８に示すように梱包状態を従来品よりコンパクトにできる利点がある。なお、図９は厚みが大である天井材Ｅ’の場合のバネ部材によりケーシングを天井材に固定した状態を示す概略説明図であり、このように天井材の厚みが大きくなっても板バネ１２により対応することが可能である。
【００１６】
逆に天井材に取り付けた照明器具を取り外すときには、留めナットＣ１を取付ボルト１１から取り外して反射板Ｃを抜き取り、ケーシングＡの側面のスリット１４ａ，１４ｂの下部に圧接しているストッパ１３ａ，１３ｂをケーシングＡ内の方に引き出せば、スリット１４ａ，１４ｂからケーシングＡの外方に膨出している各板バネ１２ａ，１２ｂがケーシングＡ内に戻って図４に示す状態になるので、ケーシングＡを天井材Ｅから容易に引き抜くことができ、したがって天井材から照明器具を簡単に取り外すことができる。
【００１７】
次に、本実施例における板バネ１２、及び、バネ部材の変更例について詳述する。
【００１８】
図１０は、本実施例に係る板バネ１２を示し、図中（ａ）は側面図、（ｂ）は底面図、（ｃ）は使用状態図である。本実施例における板バネ１２は、板バネの両端部にＴ字状になるように別部材のストッパ１３ａ，１３ｂを取り付けたものである。  図１１は、板バネの変更例であって、図中（ａ）は側面図、（ｂ）は底面図、（ｃ）は使用状態図である。板バネ１１２は、板バネの両端部を互いに異なる直角方向に折り曲げてストッパ１１３ａ，１１３ｂを形成したものである。これらの板バネ１２，１１２は、天井材が厚くても薄くても対応できるので、汎用性の点で利点がある
図１２は、板バネの変更例であって、図中（ａ）は側面図、（ｂ）は底面図、（ｃ）は使用状態図である。板バネ２１２は、板バネの両端部に、各端部を一旦上方向に直角に折り曲げた後、下方向に折り返して断面Ｔ字状をなすストッパ２１３ａ，２１３ｂを形成したものである。予め天井材の厚みが特定されている場合には、このように構成すると加工コストも安く、便利である。
【００１９】
図１３は、板バネの変更例であって、図中（ａ）は側面図、（ｂ）は底面図、（ｃ）は使用状態図である。板バネ３１２は、板バネの両端部に、各端部を鉤状の折り曲げ部３１４ａ，３１４ｂを形成し、その先端部を２分にカットして、その切断端を左右に直角に折り曲げてストッパ３１３ａ，３１３ｂを形成したものである。このように板バネの端部に段差をもう一段追加すると板圧が極めて薄い場合にも対応でき、本体の強度をもたせる場合にも有効である。
【００２０】
図１４は、板バネの変更例であって、図中（ａ）は側面図、（ｂ）は底面図、（ｃ）は使用状態図である。板バネ４１２は、その中央部に反射板を固定するための切り起こし部４１４ａ，４１４ｂを形成したものである。このように構成すると、ワンタッチで反射板の脱着ができて作業性が向上すると共に、部品点数を削減してコストを下げることができる。
【００２１】
なお、上記した種々のストッパに対して、これを被覆するように樹脂やゴム等からなる保護材を取り付けると、ストッパ自体の保護と共に取り付け及び取り外しの作業性が向上する利点がある。また、板バネに代えて棒バネを使用してもよい。
【実施例２】
【００２２】
図１５及び図１６は実施例２に関するものであり、図１５は板バネを垂下させている状態のケーシングの概略説明図であり、図１６は板バネを膨出させた状態の概略説明図である。
【００２３】
本実施例は、板バネ５１２ａ，５１２ｂが個々に分離している場合であり、各板バネ５１２ａ，５１２ｂの一端が個々に分離してケーシングＡ２の内部側面に固定されている。本実施例に示すケーシングＡ２のように頂部が平面上であったり、曲率半径が大きい場合に適するものであり、バネ材の使用量を削減できる効果がある。なお、板バネに代えて棒バネを使用してもよい。
【実施例３】
【００２４】
図１７は実施例３に関するものであり、図中の（ａ）はケーシングの底面図であり、（ｂ）は側面から見たケーシングの概略説明図である。本実施例においては、ケーシングＡ３は下方が開口した直方体状のものであり、板バネ６１２ａ，６１２ｂが２個所に設けられている。このように種々の形状や大きさに応じて適した個数の板バネを使用することにより、天井材に対して十分な保持強度が確保できる。
【００２５】
上記した各実施例においては天井材に埋込型の照明器具を設置する場合を説明したが、これに限られるものではなく、換気扇やスピーカ等の天井や壁に取り付けるもの、その他の板材に取り付ける様々なもの適用可能である。特に換気扇やスピーカ等の微振動が発生し、緩みの問題が生じる器具には有効な取り付け手段である。
【図面の簡単な説明】
【００２６】
【図１】実施例１における照明器具のケーシングの斜視図である。
【図２】実施例１における照明器具の設計図であり、（ａ）は平面図であり、（ｂ）は側面図であり、（ｃ）は正面図である。
【図３】実施例１において、取付前のケーシングの状態を示す概略説明図である。
【図４】実施例１において、天井の埋込穴に挿入したケーシングの状態の概略説明図である。
【図５】実施例１において、バネ部材によりケーシングを天井材に固定した状態を示す概略説明図である。
【図６】実施例１において、ケーシング内に反射板を取り付けた状態を示す概略説明図である。
【図７】実施例１において、ケーシングと天井材との相関関係を示す概略図である。
【図８】実施例１における照明器具の梱包状態を示す概略図である。
【図９】実施例１において、天井材の板厚が大のときの取付状態を示す概略図である。
【図１０】実施例１に係る板バネを示し、図中（ａ）は側面図、（ｂ）は底面図、（ｃ）は使用状態図である。
【図１１】板バネの変更例であって、図中（ａ）は側面図、（ｂ）は底面図、（ｃ）は使用状態図である。
【図１２】板バネの変更例であって、図中（ａ）は側面図、（ｂ）は底面図、（ｃ）は使用状態図である。
【図１３】板バネの変更例であって、図中（ａ）は側面図、（ｂ）は底面図、（ｃ）は使用状態図である。
【図１４】板バネの変更例であって、図中（ａ）は側面図、（ｂ）は底面図、（ｃ）は使用状態図である。
【図１５】実施例２において、板バネを垂下させている状態のケーシングの概略説明図である。
【図１６】実施例２において、板バネを膨出させた状態の概略説明図である。
【図１７】実施例３におけるケーシングであって、（ａ）は底面図であり、（ｂ）は側面から見たケーシングの概略説明図である。
【図１８】従来の照明器具の概略説明図である。
【図１９】従来の照明器具の取り付け状態を示す概略説明図である。
【図２０】従来の照明器具の概略説明図である。
【図２１】従来の照明器具の梱包状態を示す概略図である。
【図２２】従来の照明器具の取り付け状態を示す概略説明図である。
【符号の説明】
【００２７】
Ａ・・・ケーシング
１０・・鍔部
１１・・取付ボルト
１２・・板バネ
１２ａ・板バネ
１２ｂ・板バネ
１２ｃ・・中間部
１２ｄ・・中間部
１２ｅ・膨出部端部（屈曲部）
１２ｆ・膨出部端部（屈曲部）
１２ｚ・頂部穴
１３・・ナット
１３ａ・ストッパ
１３ｂ・ストッパ
１４ａ・スリット
１４ｂ・スリット
ｐ３・・天井穴径
ｑ３・・ケーシングの外形
Ｂ・・・ソケット
Ｃ・・・反射板
Ｃ１・・留めナット
Ｄ・・・電球
Ｅ・・・天井材
Ｅ１・・天井材の下面
Ｅ２・・天井材の上面
Ｅ’・・厚みが大である天井材
１１２・・・板バネ
１１３ａ・・ストッパ
１１３ｂ・・ストッパ
２１２・・・板バネ
２１３ａ・・ストッパ
２１３ｂ・・ストッパ
３１２・・・板バネ
３１３ａ・・ストッパ
３１３ｂ・・ストッパ
３１４ａ・・折り曲げ部
３１４ｂ・・折り曲げ部
４１２・・・板バネ
４１４ａ・・切り起こし部
４１４ｂ・・切り起こし部
Ａ２・・・・ケーシング
５１２ａ・・板バネ
５１２ｂ・・板バネ
Ａ３・・・・ケーシング
６１２ａ・・板バネ
６１２ｂ・・板バネ
【図１】
2008059815.tif 000003
【図２】
2008059815.tif 000004
【図３】
2008059815.tif 000005
【図４】
2008059815.tif 000006
【図５】
2008059815.tif 000007
【図６】
2008059815.tif 000008
【図７】
2008059815.tif 000009
【図８】
2008059815.tif 000010
【図９】
2008059815.tif 000011
【図１０】
2008059815.tif 000012
【図１１】
2008059815.tif 000013
【図１２】
2008059815.tif 000014
【図１３】
2008059815.tif 000015
【図１４】
2008059815.tif 000016
【図１５】
2008059815.tif 000017
【図１６】
2008059815.tif 000018
【図１７】
2008059815.tif 000019
【図１８】
2008059815.tif 000020
【図１９】
2008059815.tif 000021
【図２０】
2008059815.tif 000022
【図２１】
2008059815.tif 000023
【図２２】
2008059815.tif 000024